(57)【特許請求の範囲】
【請求項１】
カード式記憶媒体を収容してロックプレートを挿入した防犯ケースにおいて、該ケースは本体の１辺に設けた開閉軸を中心として蓋体を開閉可能に取付け、本体には従来の円盤状記憶媒体が取付けられる形態と同じ構造とすることでカードケースを取付け、該カードケースは本体とカバーから成って、本体にはカード式記憶媒体を収容する収容部を設け、そしてカードケースの中央部には防犯ケースの本体中央に突出したヘソが嵌る中央穴を設け、又外周には中央穴を中心として同一半径上に形成される滑らかな角部側面を有したことを特徴とする記憶媒体用防犯ケース。
【請求項２】
上記収容部の底を傾斜すると共に切欠き部を形成し、収容部に収容されているカード式記憶媒体を指で摘んで取出し易くした請求項１記載の記憶媒体用防犯ケース。
【請求項３】
上記収容部の隣に取出し部を設け、該取出し部の底面は収容部側を高くすると共に、カード式記憶媒体をスライドして取出し部側へ移動して指で摘んで取出し易くした請求項１記載の記憶媒体用防犯ケース。
【請求項４】
カードケースの本体にはカード式記憶媒体に記憶されているタイトル、概要、又は広告などを記載したシートを収容する為の空間を形成し、収容したシートが外れないようにツメを設けた請求項１、請求項２、又は請求項３記載の記憶媒体用防犯ケース
【請求項５】
カード式記憶媒体を収容してロックプレートを挿入した防犯ケースにおいて、該ケースは本体の１辺に設けた開閉軸を中心として蓋体を開閉可能に取付け、本体には従来の円盤状記憶媒体が取付けられる形態と同じ構造とすることでカードケースを取付け、該カードケースの上面にはカード式記憶媒体を収容する収容部を設けると共に該収容部を閉じることが出来るカバーを開閉可能に設け、そしてカードケースの中央部には防犯ケースの本体中央に突出したヘソが嵌る中央穴を設け、又外周には中央穴を中心として同一半径上に形成される滑らかな角部側面を有したことを特徴とする記憶媒体用防犯ケース。
【請求項６】
上記収容部の底を傾斜すると共に切欠き部を形成し、収容部に収容されているカード式記憶媒体を指で摘んで取出し易くし、又収容したカード式記憶媒体の基部側を止め付ける樹脂リブを設けた請求項５記載の記憶媒体用防犯ケース。
【請求項７】
カードケースの上面には凹面を形成し、この凹面にカード式記憶媒体に記憶されている内容のタイトル、概要、又は広告などを記載したシートを嵌め、収容したシートが外れないように複数のツメを設けた請求項５、又は請求項６記載の記憶媒体用防犯ケース。
【発明の詳細な説明】
【技術分野】
【０００１】
本発明は円盤状記憶媒体を取付けていたケースにカード式記憶媒体を収容することが出来る防犯ケースに関するものである。
【背景技術】
【０００２】
音楽を再生する機器としては従来からＣＤプレーヤーが用いられ、映像を再生する機器としてはＤＶＤプレーヤーが知られている。また、ＣＤプレーヤーの小型機器としては、持運び出来るサイズに構成したウォークマン（登録商標）が販売されて来ている。一方、映像を記憶したＤＶＤはテレビに接続して再生するＤＶＤプレーヤーの他に、パソコンを用いて再生することも可能である。
【０００３】
ところで、ＣＤ、ＤＶＤ等の円盤状記憶媒体を購入する場合もあるが、レンタルショップにおいて一時的に借りて使うことも多い。むしろ、色々な音楽を聴いたり、色々な映画を見たりする場合にはレンタルした方が便利であり、我国では所々にＣＤやＤＶＤなどのレンタルショップが数多く存在している。
【０００４】
ＣＤやＤＶＤは一般にその外径が１２０ｍｍあり、これを再生する機器はＣＤやＤＶＤが収容出来る大きさが必要であり、常に携帯するには不便を感じることも多い。又、ＣＤ、ＤＶＤを再生するには、該ＣＤ、ＤＶＤを回転する為のドライブモータ及び光を照射して読み取る為のピックアップ機構も必要であり、外形サイズは大きくなると共にコストも高くなる。近年では「アイポッド」（登録商標）と称される再生機器が使用され、この機器を洋服の胸ポケットに入れてイヤホンで音楽を聴いたり、又は手のひらサイズの機器の表示面から映像を見ることが出来る。
【０００５】
この再生機器にセットする記憶カードはＣＤやＤＶＤに比較して非常に小さく、しかし記憶容量は非常に大きい。再生手段としては、何も「アイポッド」に限ることはなく、パソコンに該カードを挿入することで映像を見ることが出来、又はテレビの画面に映しだすことも可能である。
【０００６】
ところで、最近では小さいカード式記憶媒体をＣＤやＤＶＤの場合と同じようにレンタルすることが求められている。しかし、大きさが小さい為に盗難され易く、その為に盗難防止対策が一段と重要になる。ＣＤやＤＶＤの場合には、貸出しケースが開かないようにロックプレートが挿入されていて、該ロックプレートにはタグシールが貼着されている為に、ロックプレートを外さないで店から持ち出すならば、ゲートが反応して警報音が鳴るようにしている。
【０００７】
盗難防止機能を備えた従来のＣＤやＤＶＤの貸出しケースに関しては、特許第３４５９９９７号に係る「盗難防止機能を備えたＤＶＤ等の貸出しケース」、
特許第３９７８６８６号に係る「盗難防止機能を備えたＤＶＤ等の貸出しケース及び解錠具」を参照すれば明らかである。しかし、カード式記憶媒体のように小さいものは、ケースをこじ開けて盗まれる虞があり、ＣＤ、ＤＶＤと同じような防犯構造では十分でない。
【０００８】
特開２００７−２４１５８１号に係る「メモリーカード用収納体」は、サイズの小さなＳＤメモリーカードやプレイステーション２用のメモリーカードなどを保管するに際し、紛失しにくくしたメモリーカード用収納体であり、平板状の盤体にＳＤメモリーカードを盤体の一方の面より嵌め込むためにＳＤメモリーカードの外形に合う形の孔部が形成されている。しかし、盗難防止を考えた場合、このようなメモリーカード用収納体を貸出しケースとしてそのまま店に展示することは出来ない。
【特許文献１】特許第３４５９９９７号に係る「盗難防止機能を備えたＤＶＤ等の貸出しケース」
【特許文献２】特許第３９７８６８６号に係る「盗難防止機能を備えたＤＶＤ等の貸出しケース及び解錠具」
【特許文献３】特開２００７−２４１５８１号に係る「メモリーカード用収納体」
【発明の開示】
【発明が解決しようとする課題】
【０００９】
このように、カード式記憶媒体を貸出しケースに収容して貸出すには上記のごとき問題がある。本発明が解決しようとする課題はこの問題点であり、従来からＣＤ，ＤＶＤなどの円盤状記憶媒体の収容ケースとして用いられてきたケースをそのまま利用してカード式記憶媒体を収容することが出来、しかも盗難に遭うことのないように構成した記憶媒体用の防犯ケースを提供する。この記憶媒体用の防犯ケースは貸出し用として、又は販売用として使用することが出来る。
【課題を解決するための手段】
【００１０】
本発明に係る記憶媒体用の防犯ケースは、カード式記憶媒体を収容することが出来るように構成している。ここで、カード式記憶媒体とは音楽又は映像が記憶されているカード（チップ）であり、具体的な記憶内容を限定するものではない。そして、カードは厚さが薄い板状体をしているが、具体的な形状及びサイズも限定しないことにする。
【００１１】
ところで、記憶媒体用の防犯ケースは従来のケースと同じく本体と蓋体を有し、蓋体は開閉軸を中心として揺動して開閉することが出来る。そして、本体中央にはヘソが設けられ、このヘソにカードケースが取付けられる。すなわち、カードケースの中央には中央穴が設けられ、この中央穴はヘソに嵌合して取付けられる。また、カードケースの外周を位置決めして本体に取付けることも出来る。そして、カード式記憶媒体は該カードケースに収容される。
【００１２】
上記カードケースは小さいカード式記憶媒体を収容することが出来る容器であり、該カードケースは防犯ケースの本体に着脱自在に取付けられる。ここで、該カードケースは内部にカード式記憶媒体を収容する収容部を有している。そしてカードケースの蓋（カバー）は軸を中心として開閉したり、スライドしたり、着脱可能であったり、その具体的な構造は限定しない。
【発明の効果】
【００１３】
本発明に係る記憶媒体用の防犯ケースは内部にカード式記憶媒体が収容されている。しかも、カード式記憶媒体はカードケースに収容され、このカードケースが防犯ケースの本体に取付けられ、ロックプレートにてロックされることで盗難に遭うことはない。ロックプレートには従来のケースと同じく、タグシールが貼着されている為に、ロックプレートを外さないで店から持ち出すことは出来ない。
【００１４】
そして、該防犯ケースは従来のＣＤ、ＤＶＤ用の貸出しケースが使用されるために、カード式記憶媒体用の貸出しケースを製作する必要はなく、経済的である。すなわち、カードケースに設けた中央穴が本体のヘソに嵌ることで取付けられる。又は、中央穴ではなく外周を拘束して本体に取付けることも出来るが、何れにしてもカード式記憶媒体専用の防犯ケースを製作する必要はない。
【図面の簡単な説明】
【００１５】
【図１】蓋体が閉じた場合の記憶媒体用防犯ケース。
【図２】ロックプレートを取外して蓋体が一部開いた場合の記憶媒体用防犯ケース。
【図３】蓋体が開いた場合の記憶媒体用防犯ケース。
【図４】本体からカードケースを取出した状態での記憶媒体用防犯ケース。
【図５】カバーを開いた状態のカバーケース。
【図６】本体に設けた収容部からカード式記憶媒体とシートを取出した場合のカードケース。
【図７】カードケースを示す他の実施例であり、収容部のカバーが開いている状態。
【図８】カードケースにシートを取付け、片方の収容部のカバーが閉じている状態。
【発明を実施するための形態】
【００１６】
図１は本発明に係る記憶媒体用の防犯ケースを示し、蓋体が閉じた状態であるが、内部に収容されているカードケース、ロックプレートを透かして表している。内部には大きなカードケースがヘソに取付けられ、カード式記憶媒体はこのカードケースに収容して取付けられている。そして、ロックプレートが取付けられている為に、蓋体を開くことは出来ない。
【００１７】
図２はロックプレートを取外して蓋体を開く場合を示しているが、同図において１は本体、２は蓋体、３は開閉軸、４はロックプレートを表している。記憶媒体用防犯ケースは、厚さの薄い四角形をしたケースであり、本体１の中央にはヘソ５が底から突出して設けられ、このヘソ５にカードケース６の中心穴が嵌って取付けられる。そして、四角形をした本体１の側辺には縁７，７・・・が起立し、同じく蓋体２の側辺にも縁８，８・・・が起立している。
【００１８】
そして、ロックプレート４が挿入される部分には縁７，８がなく、蓋体２を閉じた場合にロックプレート４の挿入口が形成される。このように、本体１及び蓋体２の側辺に縁７，７・・、８，８・・を起立することで、ヘソ５に嵌って取付けられているカードケース６が抜取られることはない。該カードケース６の盗難防止に関しては従来通りであり、上記ロックプレート４を解錠して取外さない限り蓋体２を開くことは出来ない。
そこで、ロックプレート４を解錠して取外さないで防犯用ケースごと店から持ち出すならば、ロックプレート４に貼着しているダグシール９が店の出入口に設置しているゲートに反応して警報音が発生する。カードケース６を取付けている記憶媒体用防犯ケースを貸出す場合には、タグシール９が貼着されているロックプレート４が取外されることで持ち出すことが出来る。
【００１９】
ところで、本発明の記憶媒体用防犯ケースにはカードケース６が取付けられ、このカードケース６にカード式記憶媒体が収容されている。図３はカードケース６が本体１に設けたヘソ５に取付けられている場合、図４は本体１からカードケース６が取外されている場合をそれぞれ表している。カードケース６の中央にはヘソ５が嵌る中央穴１０が貫通して設けられている。
【００２０】
同図に示す記憶媒体用防犯ケースは、従来のＣＤ、ＤＶＤの貸出しケースであり、ＣＤ、ＤＶＤの中央穴が嵌るヘソ５を利用してカードケース６が取付けられている。ただし、このヘソ５を利用することなく、ヘソ５を中心として外周に沿設している縁によってカードケース６を位置決め拘束することも可能である。
【００２１】
図５はカードケース６を示し、該カードケース６は同図に示すように本体１１とカバー１２から成り、該カバー１２は継手を介して開閉可能としている。そして、本体１１には台座穴１３が設けられ、この台座穴１３の両側に収容部１４，１４が設けられ、そして、この収容部１４，１４にカード式記憶媒体１５、１５が収容されている。又本体１１にはシート１６が上記収容部１４，１４から延びるツメ１７，１７に挟まれて取付けられている。
【００２２】
このシート１６にはカード式記憶媒体１５に記憶されている内容、例えば映画であれば題名及びストリーなどが記載され、又は宣伝用の広告として使用することも出来る。そして、本体１１は角を丸めた四角形を成し、周囲には縁１８が起立し、同じくカバー１２の周囲にも縁１９が起立している。従って、カバー１２が閉じるならば本体１１との間に隙間はなく、収容部１４，１４に収容したカード式記憶媒体１５，１５が抜取られることはない。
【００２３】
収容部１４の隣りには取出し部３１を設け、該取出し部３１の底面３０は傾斜し、該底面３０は収容部側を高くしている。収容部１４の両側にはガイドが設けられ、このガイドを案内としてカード式記憶媒体１５が取付けられ、そしてガイドに沿ってカード式記憶媒体１５はスライドして取出し部３１へ移行する。取出し部３１へスライドして移行したカード式記憶媒体１５はその基部側が底面３０からはみ出すことで指で摘んで取出し易くなる。すなわち、取出し部３１の底面３０の長さはカード式記憶媒体１５より短く成っていることで、基部側が底面からはみ出すようになる。
【００２４】
図６は収容部１４からカード式記憶媒体１５を取外し、シート１６をツメ１７，１７から外した場合である。ところで、このカードケース６を記憶媒体用防犯ケースに取付ける場合には、カバー１２に設けた中央穴１０を本体１のヘソ５に嵌合する。ヘソ５は本体底に設けた台座２０の上に突出して形成され、その為に、ヘソ５はカバー１０の中央穴１０に嵌ると共に、本体１１の台座穴１３には台座２０が嵌る。
また、該カバーケース６はヘソ５に中央穴１０が嵌る場合に限らず、外周を位置決めして取付けることも可能である。従って、何れの形態をした防犯ケースであっても取付け出来るように四角形をした角部は滑らかに湾曲している。すなわち、中心穴１０から一定半径上に形成される角部側面２４，２４・・・を形成している。
【００２５】
図７はカードケース２１の別形態を示している。そこで、該カードケース２１には中央穴１０の両側に収容部２２，２２を設け、この収容部２２，２２にカード式記憶媒体１５、１５を収容している。そして、該収容部２２，２２に入れたカード式記憶媒体１５，１５を被覆するカバー２３，２３を開閉可能に取付けている。
【００２６】
ところで、該収容部２２、２２にはカード式記憶媒体１５、１５を入れてカバー２３、２３を閉じ、そして該カードケース２１は記憶媒体用の防犯ケースに取付けられる。その取付け形態は中央に貫通して設けた中央穴１０を本体１に突出して設けているヘソ５に嵌合して取付けることが出来る。すなわち、ＣＤやＤＶＤを取付ける場合と同じである。
本発明では、カード式記憶媒体１５を収容して貸出す為に、又は販売する為に特別なケースを製作することなく従来のＣＤ用のケース、及びＤＶＤ用のケースをそのまま使用することが出来る。勿論、ヘソに嵌める形態ではなく、ＣＤ及びＤＶＤの外周を拘束して取付ける形態であっても取付け出来るようにしている。すなわち、図７に示すカードケース２１は概略四角形であるが、各角部側面２４，２４・・・は滑らかな曲面を成していることで、中心穴１０から同一半径上にあるこれら角部側面２４，２４・・・がＣＤ、ＤＶＤの外周と同じ半径と成っている為に拘束して取付けられる。
【００２７】
ところで、カード式記憶媒体１５を収容することが出来る収容部２２の底は傾斜しており、しかも摘んで取出し易くする為に一部切欠かれている。図７（ｂ）は収容部２２にカード式記憶媒体１５を収容した場合の断面を示しているように、切欠き部２５が形成され、この切欠き部２５に指を入れることで摘み易くなる。そして、カード式記憶媒体１５が安定するように傾斜した基部側を樹脂リブ２６に挟んで軽く止着している。
【００２８】
また、該カードケース２１の上面には凹面２７を形成し、この凹面２７にシート２８が嵌って取付け出来るようにしている。そして、凹面２７の所々には小さいツメ２９，２９・・・が設けられ、該凹面２７に嵌ったシート２８が外れないように止着することが出来る。図８は凹面２７にシート２８が取付けられ、収容部２２，２２にカード式記憶媒体１５，１５が収容された場合を示し、そして片方の収容部２２のカバー２３は閉じている。
【符号の説明】
【００２９】
１  本体
２  蓋体
３  開閉軸
４  ロックプレート
５  ヘソ
６  カードケース
７  縁
８  縁
９  タグシール
10  中央穴
11  本体
12  カバー
13  台座穴
14  収容部
15  カード式記憶媒体
16  シート
17  ツメ
18  縁
19  縁
20  台座
21  カードケース
22  収容部
23  カバー
24  角部側面
25  切欠き部
26  樹脂リブ
27  凹面
28  シート
29  ツメ
30  底面
31  取出し部
【図１】
0005330327.tif 000002
【図２】
0005330327.tif 000003
【図３】
0005330327.tif 000004
【図４】
0005330327.tif 000005
【図５】
0005330327.tif 000006
【図６】
0005330327.tif 000007
【図７】
0005330327.tif 000008
【図８】
0005330327.tif 000009